(57)【要約】【課題】金属含有排水の処理に用いる活性汚泥に存在する微生物の簡便な分離・回収方法、ＰＣＲなどの酵素反応を阻害せずにＤＮＡ配列読み取りが可能な微生物の検出方法、および金属含有排水処理に用いる活性汚泥中の微生物のモニタリング技術を提供することである。【解決手段】金属含有排水の処理に用いる活性汚泥をｐＨ７以上１０以下に調製して、該活性汚泥中の金属イオンを金属水酸化物とした後、前記活性汚泥を所定時間静置して該金属水酸化物を沈殿させ、さらに、上澄み液を孔径０．５μｍ以下の膜でろ過して前記活性汚泥中の微生物をろ膜上に分離することを特徴とする金属含有排水の処理に用いる活性汚泥からの微生物の回収方法と、回収した微生物のＤＮＡを抽出した後、該ＤＮＡの特定領域を増幅し、得られたＤＮＡ産物のＤＮＡ配列に基づいて微生物を同定することを特徴とする金属含有排水の処理に用いる活性汚泥中の微生物の同定方法である。【選択図】　　　なし【特許請求の範囲】
【請求項１】
金属含有排水の処理に用いる活性汚泥をｐＨ７以上１０以下に調製して、該活性汚泥中の金属イオンを金属水酸化物とした後、前記活性汚泥を所定時間静置して該金属水酸化物を沈殿させ、さらに、上澄み液を孔径０．５μｍ以下の膜でろ過して前記活性汚泥中の微生物をろ膜上に分離することを特徴とする、金属含有排水の処理に用いる活性汚泥からの微生物の回収方法。
【請求項２】
前記所定時間静置に代えて、遠心器またはデカンタにより前記金属水酸化物を沈殿させることを特徴とする、請求項１に記載の金属含有排水の処理に用いる活性汚泥からの微生物の回収方法。
【請求項３】
前記活性汚泥が、鉄、亜鉛、ニッケル、クロム、アルミニウム、銅、カドミウムのいずれか１種以上を含有することを特徴とする、請求項１に記載の金属含有排水の処理に用いる活性汚泥からの微生物の回収方法。
【請求項４】
請求項１〜３のいずれかに記載の回収方法で回収した微生物のＤＮＡを抽出した後、該ＤＮＡの特定領域を増幅し、得られたＤＮＡ産物のＤＮＡ配列に基づいて微生物を同定することを特徴とする、金属含有排水の処理に用いる活性汚泥中の微生物の同定方法。
【請求項５】
前記増幅にＰＣＲを用いることを特徴とする、請求項４に記載の金属含有排水の処理に用いる活性汚泥中の微生物の同定方法。
【請求項６】
前記ＤＮＡ産物をＤＧＧＥで泳動した後、泳動後のゲルを蛍光色素で染色して、染色されたＤＮＡバンドを得て、さらに該ＤＮＡバンドからＤＮＡ配列を読み取ることを特徴とする、請求項４に記載の金属含有排水の処理に用いる活性汚泥中の微生物の同定方法。
【請求項７】
請求項４に記載の同定方法を所定時間間隔で繰り返し行うことを特徴とする、金属含有排水の処理に用いる活性汚泥中の微生物のモニタリング方法。
【請求項８】
前記繰り返しにより得られた複数のＤＮＡ産物をそれぞれＤＧＧＥで泳動した後、泳動後のゲルを蛍光色素で染色して、染色されたＤＮＡバンドを得て、さらに該各ＤＮＡバンドをそれぞれ画像解析し、該各ＤＮＡバンドの色調の濃淡変化から、前記活性汚泥中の微生物の群集構造の変化を求めることを特徴とする、請求項７に記載の金属含有排水の処理に用いる活性汚泥中の微生物のモニタリング方法。
【発明の詳細な説明】
【０００１】
【発明の属する技術分野】
本発明は、金属含有排水中の金属イオンの分離、回収処理や無毒化処理に用いる活性汚泥から、微生物を分離・回収する方法、微生物の検出方法、およびモニタリング方法に関する。
【０００２】
【従来の技術】
金属含有排水には、鉱山排水、化学工場排水、製錬所排水、製鉄所排水、メッキ工場排水などがある。たとえば、メッキ工場排水を例に取ると、２価鉄、ニッケル、亜鉛、クロム、銅などの金属イオンを含有している場合が多い。このような金属含有排水中の金属イオンの分離・回収処理や無毒化処理において、活性汚泥を用いた処理の応用が試みられている。たとえば、活性汚泥中の鉄酸化細菌の作用で２価鉄を３価鉄とした上で水酸化鉄として鉄のみを回収する技術や、有害な６価クロムを活性汚泥中のクロム還元細菌の作用で無毒な３価クロムに還元するなどの応用が試みられている。実際、バクテリアリーチングや鉱山排水などで微生物を含有している活性汚泥は広く活用されている（非特許文献１参照）。
【０００３】
活性汚泥を用いた金属含有排水中の金属イオンの分離・回収処理や無毒化処理において、処理に関与する微生物を検出・特定し、ｐＨや温度等の環境条件、および栄養条件等の反応条件をその微生物に適した条件に制御することにより、前記処理の促進が図れるものといえる。
【０００４】
活性汚泥に存在する微生物を検出する方法としては、以下の二つが考えられる。一つは、培養によって微生物を単離して、その形態や生理的、生化学的性質を調べて存在する微生物を特定する方法である。もう一つは、活性汚泥に存在する微生物のＤＮＡを抽出して、そのＤＮＡ配列を読み取り、ＤＮＡ配列のデータベースを参照することで、存在する微生物を特定化する方法である。従来は、例えば鉄酸化細菌の培養や単離に用いる９Ｋ培地のように、調べたい微生物に対応した培養用の培地が確立されており、培養によって微生物の検出が広く行われてきた（非特許文献２参照）。
【０００５】
しかしながら、金属含有排水の処理に用いる活性汚泥に存在する微生物を検出あるいは同定することは容易ではない。なぜならば、金属含有排水の処理に用いる活性汚泥は、一般に複数種の金属イオンを高濃度に含んでおり、これらの金属イオンは微生物の培養に影響を与え、さらに微生物のＤＮＡ抽出とＤＮＡ配列の読み取りに著しい悪影響を及ぼすからである。
【０００６】
まず、金属含有排水の処理に用いる活性汚泥から微生物を培養により検出する方法に関する問題点について述べる。
【０００７】
一般に、金属の存在状態で微生物を培養するために確立された培地を使用する場合、特定の金属を一定濃度含んだ条件での培養のみに限られるため、鉱山排水やメッキ工場排水のように複数種の金属の含有濃度が変動する条件で存在している微生物を検出することは困難である可能性が高い。例えば、鉄酸化細菌では、９Ｋ培地等が広く使用されるが、この培地に適した微生物のみが優先的に検出されてしまう可能性は否めない。
【０００８】
また、微生物が存在することは確認できても培養できないＶＮＣ（Ｖｉｓｉｂｌｅ　ｂｕｔ　Ｎｏｎｅ−ｃｕｌｔｕｒａｂｌｅ）という現象が最近では広く認知されている（非特許文献３参照）。例えば、都市下水の活性汚泥中に存在する微生物のうち、培養可能な微生物は１割程度であり、残り９割は培養できないという報告もあり（同じく非特許文献３参照）、金属含有排水と活性汚泥との混合物中に存在する微生物は、さらに培養が困難である可能性もある。
【０００９】
上記培養によって微生物を単離するという従来技術に対して、ＤＮＡ配列に基づいて微生物を検出、同定する方法は、培養によるバイアスを受けず、簡便かつ正確であり、きわめて優れている。したがって、ＤＮＡ配列に基づく微生物の検出方法が、微生物を利用する産業上においても主流になりつつある（特許文献１参照）。
【００１０】
都市下水の活性汚泥などでは、汚泥からＤＮＡを抽出して微生物を検出することが活発に実施されているが、鉱山排水やメッキ工場排水などの金属含有排水の処理に用いる活性汚泥から微生物のＤＮＡを抽出しようとすると、ＤＮＡと金属の分離回収が困難になり、満足のいく微生物の解析に成功した報告は今のところない。例えば、ＤＮＡの夾雑物からの分離精製に用いるフェノール・クロロホルム抽出などではＤＮＡと金属を分離回収することは困難である。
【００１１】
【非特許文献１】
先端材料シリーズ、微生物と材料、日本材料科学会編、ｐ．７０〜１１６（裳華房）
【非特許文献２】
極限環境微生物ハンドブック、大島泰郎監修、ｐ．２２３〜２３２
【非特許文献３】
水処理におけるＶＮＣ細菌群集、染谷、日本水環境学会・日本微生物生態学会合同シンポジウム講演資料集（２００２年１１月）
【特許文献１】
特開２００２−１０１８８４号公報
【００１２】
【発明が解決しようとする課題】
鉱山排水やメッキ工場排水のような高濃度の金属含有排水の処理に用いる活性汚泥から微生物を検出することは、金属イオンによってＰＣＲなどの酵素反応が強く阻害を受けるため、活性汚泥中の微生物の動態をＤＮＡ配列を元に把握することは困難であることが多いという大きな課題がある。何故ならば、ＤＮＡの抽出やＤＮＡ配列の読み取りに必要な酵素による反応、例えばＤＮＡの増幅に必要なＰＣＲなどに対して、金属イオンがこれらの反応を強く阻害するからである。本発明者らも、金属含有排水の処理に用いる活性汚泥に対して、様々な生化学的な手法を使って、活性汚泥に存在する微生物のＤＮＡを抽出して、ＰＣＲでＤＮＡを増幅することを試みたが、ほとんどの場合で良好な結果は得られなかった。
【００１３】
本発明は、金属含有排水の処理に用いる活性汚泥に存在する微生物の簡便な分離・回収方法、ＰＣＲなどの酵素反応を阻害せずにＤＮＡ配列読み取りが可能な微生物の検出方法、および金属含有排水処理に用いる活性汚泥中の微生物のモニタリング技術を提供することを目的とする。
【００１４】
【課題を解決するための手段】
本発明者らは、金属含有排水の処理に用いる活性汚泥に存在する微生物をＤＮＡ配列に基づいて検出するには、金属から微生物を分離して回収することが有効であろうと考え、これにより、微生物のＤＮＡ配列の読み取りに必要なＰＣＲ反応などの酵素反応が、金属に阻害されることがなくなるのではないかと考えた。
【００１５】
そこで、本発明者らは、鉱山排水、メッキ工場排水などの金属含有排水、あるいはこれらの処理に用いる活性汚泥は一般に酸性であることに着目し、これら金属含有排水と活性汚泥との混合物に対して、アルカリを加えて液性をアルカリ性とすることで金属イオンを水酸化物として沈澱・除去できることを確認した。上澄み液には微生物が残留しており、上澄み液に残った微生物をフィルタでろ過することで、安価かつ簡便に金属から微生物を分離・回収できることを見出した。
【００１６】
フィルタ上に回収した微生物の一部は、培養することが可能である。しかし、前述のＶＮＣ（Ｖｉｓｉｂｌｅ　ｂｕｔ　Ｎｏｎｅ−Ｃｕｌｔｕｒａｂｌｅ）の問題があり、培養により検出できる微生物はごく一部に限られる。そこで、本発明者らは、フィルタ上に回収した微生物に対してＤＮＡ抽出法の適用したところ、ＤＮＡを抽出した後、ＤＮＡ配列に基づいた検出によって、微生物の同定が可能であることを新たに見出した。
【００１７】
本発明は、上記知見によりなし得たものであり、その要旨とするところは以下の通りである。
（１）　金属含有排水の処理に用いる活性汚泥をｐＨ７以上１０以下に調製して、該活性汚泥中の金属イオンを金属水酸化物とした後、前記活性汚泥を所定時間静置して該金属水酸化物を沈殿させ、さらに、上澄み液を孔径０．５μｍ以下の膜でろ過して前記活性汚泥中の微生物をろ膜上に分離することを特徴とする、金属含有排水の処理に用いる活性汚泥からの微生物の回収方法。
（２）　前記所定時間静置に代えて、遠心器またはデカンタにより前記金属水酸化物を沈殿させることを特徴とする、前記（１）に記載の金属含有排水の処理に用いる活性汚泥からの微生物の回収方法。
（３）　前記活性汚泥が、鉄、亜鉛、ニッケル、クロム、アルミニウム、銅、カドミウムのいずれか１種以上を含有することを特徴とする、前記（１）に記載の金属含有排水の処理に用いる活性汚泥からの微生物の回収方法。
（４）　前記（１）〜（３）のいずれかに記載の回収方法で回収した微生物のＤＮＡを抽出した後、該ＤＮＡの特定領域を増幅し、得られたＤＮＡ産物のＤＮＡ配列に基づいて微生物を同定することを特徴とする、金属含有排水の処理に用いる活性汚泥中の微生物の同定方法。
（５）　前記増幅にＰＣＲを用いることを特徴とする、前記（４）に記載の金属含有排水の処理に用いる活性汚泥中の微生物の同定方法。
（６）　前記ＤＮＡ産物をＤＧＧＥで泳動した後、泳動後のゲルを蛍光色素で染色して、染色されたＤＮＡバンドを得て、さらに該ＤＮＡバンドからＤＮＡ配列を読み取ることを特徴とする、前記（４）に記載の金属含有排水の処理に用いる活性汚泥中の微生物の同定方法。
（７）　前記（４）に記載の同定方法を所定時間間隔で繰り返し行うことを特徴とする、金属含有排水の処理に用いる活性汚泥中の微生物のモニタリング方法。
（８）　前記繰り返しにより得られた複数のＤＮＡ産物をそれぞれＤＧＧＥで泳動した後、泳動後のゲルを蛍光色素で染色して、染色されたＤＮＡバンドを得て、さらに該各ＤＮＡバンドをそれぞれ画像解析し、該各ＤＮＡバンドの色調の濃淡変化から、前記活性汚泥中の微生物の群集構造の変化を求めることを特徴とする、前記（７）に記載の金属含有排水の処理に用いる活性汚泥中の微生物のモニタリング方法。
【００１８】
【発明の実施の形態】
以下、本発明の実施の形態について詳細に説明する。
【００１９】
本発明に係わる金属含有排水の処理に用いる活性汚泥中の金属イオンを沈澱除去する方法について説明する。
【００２０】
具体的には、金属含有排水の処理に用いる活性汚泥にアルカリを添加して、ｐＨを７以上１０以下に調製する。このｐＨ域で、鉄、亜鉛、ニッケル、クロム、アルミニウム、銅、カドミウム等が水酸化物を形成して沈澱する。より詳細には、ｐＨ７以上８以下では鉄、アルミニウム、クロムが、ｐＨ８以上９以下では銅、亜鉛が、ｐＨ９以上１０以下ではニッケル、カドミウムが、それぞれ水酸化物を形成して沈澱する。
【００２１】
金属水酸化物が沈殿し始めるｐＨは、原則的に金属の溶解度積によって決定されるものの、実際には、共存するイオンの影響を受け、溶解度積の大きな金属でも比較的低いｐＨで共沈することがある。例えば３価鉄は、比較的低いｐＨで水酸化第二鉄として除去されるが、このとき、溶存していたカドミウム、ヒ素、クロムが共沈する現象が知られている。したがって、鉱山排水やメッキ工場排水などのように複数種の金属を含有する排水、あるいは前記金属含有排水とこれを処理する活性汚泥との混合物に対して、ｐＨを７以上１０以下に調製することで金属イオンを効率的に沈澱することができる。ｐＨ７は、これら金属イオンの水酸化物の沈澱を効果的に生じさせる下限のｐＨであり、ｐＨ１０は、このｐＨを超えると、金属種によっては錯イオン化して再溶解する可能性があることと、これより高いｐＨに調製すると、例えば続けてＤＮＡ抽出やＤＮＡの解析を行う際に再度のｐＨ調製を行う必要が生じることから、コスト的に不利である。
【００２２】
添加するアルカリとしては、微生物からのＤＮＡ抽出、ＤＮＡ配列の読み取りに必要な酵素反応を阻害するものでなければ特に限定はないが、コストの観点から消石灰（Ｃａ（ＯＨ）２）や水酸化ナトリウムが好ましい。
【００２３】
次に、前記工程によって発生した金属水酸化物と微生物を分離し、さらに微生物を回収する方法について説明する。
【００２４】
金属含有排水の処理に用いる活性汚泥のｐＨを７以上１０以下に調製すると金属水酸化物が生じて懸濁するが、通常、生じた金属水酸化物は、１時間程度静置することによって沈澱し、活性汚泥中の不溶成分も金属水酸化物の沈澱に伴って共沈させることができる。勿論、静置時間は、１時間よりも短時間あるいは長時間であっても、金属水酸化物の沈殿が良好に進行する程度静置すればよく、特に限定されるものではない。
【００２５】
また、遠心器やデカンタを用いて短時間に金属水酸化物を沈殿させることも可能である。この場合、あまり強い遠心をかけると、微生物も沈降してしまい、上澄み液から微生物を回収できなくなるので注意を要する。例えば、３０００ｒｐｍで１０分間程度の遠心分離で金属水酸化物を沈殿させ、上澄み液に微生物を残存させることが可能であるが、勿論、遠心分離条件も前記条件のみに限定されるものではない。
【００２６】
前記操作後、沈澱した金属水酸化物等の不溶成分をとらないように注意して、上澄み液をピペット等で回収する。しかし、金属水酸化物が上澄み液に若干混入して回収された場合は、回収した上澄み液を再度、上述の方法で静置あるいは遠心分離して金属水酸化物を沈殿させて、上澄み液を再度回収することが望ましい。なお、上澄み液の回収量はＤＮＡ抽出に十分な液量であれば特に限定はない。
【００２７】
次に、回収した上澄み液をフィルタでろ過することにより、フィルタ上に微生物を回収する。微生物を回収するフィルタの孔径は、微生物の大きさよりも小さな径が好ましく、具体的には０．５μｍ以下が好ましい。微生物には０．５μｍ以下の大きさのものも多く存在するため、より確実に回収するためには孔径０．２μｍ以下が特に好ましい。
【００２８】
次に、本発明に係わる回収した微生物のＤＮＡを抽出してＤＮＡ配列に基づいて微生物を検出する方法、さらに活性汚泥中の微生物をモニタリングする方法について説明する。
【００２９】
前記操作によりフィルタ上に回収した微生物は、必要に応じて、適当な洗浄液を用いて不純物を取り除くことも可能である。洗浄液としては、例えば、分子生物学実験で一般的に使用されるＴＥ緩衝液（エチレンジアミン四酢酸を含むトリス−塩酸緩衝液）などを用いることができる。勿論、ＴＥ緩衝液以外のものでも、後述のＤＮＡ抽出やＰＣＲ反応などの酵素反応を阻害するものでなければ特に限定はない。
【００３０】
フィルタ上に回収した微生物からＤＮＡを抽出する方法としては、分子生物学実験で一般的に用いられるＤＮＡ抽出方法を用いることが可能である。例えば、塩化ベンジルを用いる方法、ガラスビーズを用いる方法、フェノールを用いる方法、酵素を用いる方法などが挙げられる。このうち、塩化ベンジルを用いるＤＮＡ抽出法が抽出効率が高いため、特に好ましいが、この方法に限定されるものではない。
【００３１】
ＤＮＡ抽出後、ＤＮＡの特定領域を増幅する方法について説明する。ここでＤＮＡの特定領域とは、微生物の体内から抽出されたゲノムＤＮＡの中で、微生物種の比較検討が可能なＤＮＡの領域を意味する。例えば、１６ＳリボゾームＲＮＡ遺伝子の一部などがある。ＤＮＡの特定領域の増幅方法はＰＣＲが好ましい。ＰＣＲによりＤＮＡを増幅した後、得られたＤＮＡ産物を、例えば変性剤濃度勾配電気泳動ＤＧＧＥ（Ｄｅｎａｔｕｒｅｄ　Ｇｒａｄｉｅｎｔ　Ｇｅｌ　Ｅｌｅｃｔｒｏｐｈｏｒｅｓｉｓ）で泳動して、ＤＮＡを蛍光色素で染色することにより、各微生物から抽出した異なる微生物配列を持つＤＮＡを分離したバンドとして得る。
【００３２】
さらに、上記検出方法を所定時間間隔で繰り返し行うことにより、活性汚泥中の微生物の群集構造の変化をモニタリングすることが可能である。
【００３３】
上記本発明の微生物回収方法を用いて微生物を経時的に回収し、次に、回収した微生物からＤＮＡを抽出して、ＤＮＡの特定領域についてＰＣＲによりＤＮＡを増幅して、得られたＤＮＡ産物を、例えば変性剤濃度勾配電気泳動ＤＧＧＥ（Ｄｅｎａｔｕｒｅｄ　Ｇｒａｄｉｅｎｔ　Ｇｅｌ　Ｅｌｅｃｔｒｏｐｈｏｒｅｓｉｓ）で泳動して、ＤＮＡを蛍光色素で染色することにより、各微生物から抽出した異なる微生物配列を持つＤＮＡを分離したバンドとして得る。
【００３４】
前記各ＤＮＡバンドからＤＮＡ配列を読み取ることが可能であるため、各ＤＮＡバンドに対応する微生物を検出、同定できる。数種類の微生物が混在する場合には、微生物の種類に対応した数のＤＮＡバンドが得られるため、経時的に得られたＤＮＡバンドのパターンをそれぞれ比較することで、活性汚泥中の微生物をモニタリングすることも可能である。
【００３５】
金属含有排水の処理に用いる活性汚泥中の微生物の群集構造は、１〜２週間の間隔で採取し、ＤＮＡを調べることでモニタリングすることが好ましい。１週間未満の間隔では、微生物の増殖速度を考慮すると、微生物群集構造に認識されるべき変化が起きにくい。一方、２週間超の間隔であると、微生物群集構造の変化を検出し損なう可能性がある。ただし、１〜２週間のモニタリング間隔は目安であり、この間隔に限定されるものではない。
【００３６】
なお、モニタリングは、前記方法で染色したＤＮＡバンドの色調の濃淡変化をそれぞれ比較することで可能となる。この比較は、画像処理装置およびコンピュータを用いて行うことも可能であり、例えば、染色したＤＮＡバンドの画像をコンピュータに取り込み、画像処理を行い、これらの濃淡を比較することにより、簡便にモニタリングすることが可能である。また、前記処理は、コンピュータプログラムにより実行することが可能である。
【００３７】
微生物の同定結果に基づき、微生物の増殖状態をモニタリングすることにより、金属含有排水浄化機能を有する微生物の増殖状態を認知することが可能となる。そして、金属含有排水浄化機能を有する微生物に有利な環境条件、栄養条件等を付与することにより、微生物の浄化作用を安定に発現させることが可能となり、金属含有排水の処理の処理を促進することが可能である。
【００３８】
【実施例】
（実施例１）
３０日間の平均濃度が表１に示す２系統のメッキ工場排水中の鉄イオンの酸化処理に用いられている活性汚泥（系統１、２）に対して、本発明の微生物分離・回収方法、および微生物の検出方法を適用した。
【００３９】
【表１】
2004129510.tif 000002
【００４０】
活性汚泥５００ｍＬに対して１Ｎ水酸化ナトリウム水溶液を添加して、ｐＨ８に調製した。活性汚泥は、ｐＨ調製直後は赤褐色の懸濁状態であったが、室温（２０℃）で１時間静置したところ、赤褐色の懸濁物質は活性汚泥ごと沈降して上澄み液は無色透明となった。
【００４１】
次に、上澄み液を孔径０．２μｍのフィルタでろ過し、フィルタ上にトラップされた回収物を１０ｍＭトリス−塩酸（ｐＨ９．０）、１ｍＭエチレンジアミン四酢酸、１０ｍＭ塩化ナトリウムからなる溶液で洗浄し、回収物から不純物を取り除いて微生物を回収した。続いて、１ｍＭエチレンジアミン四酢酸、１０ｍＭ塩化ナトリウムからなる溶液で洗浄し、続いて塩化ベンジルを用いてＤＮＡを抽出した。さらにエタノール沈澱によってＤＮＡを濃縮した。この濃縮したＤＮＡを鋳型に対してそれぞれ表２に記載のプライマーを使用してＰＣＲを実施した。
【００４２】
【表２】
2004129510.tif 000003
【００４３】
このプライマーを用いることにより、大腸菌の１６ＳリボゾームＲＮＡ遺伝子の５０６番目の塩基と９０７番目の塩基に挟まれたＤＮＡの領域に対応する真正細菌のＤＮＡを増幅することができる。ＤＮＡを増幅する酵素であるＤＮＡポリメラーゼとして、ＡｍｐｌｉＴａｑ　Ｇｏｌｄ（Ａｐｐｌｉｅｄ　Ｂｉｏｓｙｓｔｅｍｓ，　ＵＳＡ）を用いた。ＰＣＲ装置はＧｅｎｅ　Ａｍｐ　ＰＣＲ　Ｓｙｓｔｅｍ　９６００（Ａｐｐｌｉｅｄ　Ｂｉｏｓｙｓｔｅｍｓ，　ＵＳＡ）を用いた。ＰＣＲ条件は、９４℃で７分間の後に、９４℃で３０秒、アニール温度６５〜５５℃で６０秒、７２℃で９０秒を２０サイクル繰り返した（ただし、２サイクル毎にアニール温度が１℃ずつ下がるようにした）後に、９４℃で３０秒、５５℃で６０秒、７２℃で９０秒を１５サイクルの後、７２℃で１０分間として、４℃でＤＮＡ解析に供するまで保存した。
【００４４】
このＰＣＲにより得られた、増幅されたＤＮＡ産物を２質量％アガロースで電気泳動したところ、４００ｂｐ付近にＤＮＡのバンドが確認でき、微生物の回収が行えたことを確認できた。
【００４５】
そこで、上記ＰＣＲにより得られた、増幅されたＤＮＡ産物をＤＧＧＥ（変性剤濃度勾配ゲル電気泳動法）で解析した。ＤＧＧＥの装置には、Ｄｃｏｄｅ（ＢＩＯ　ＲＡＤ，　ＵＳＡ）を用いた。変性剤として尿素とホルムアミドを用い、変性剤の濃度には、３０〜６０質量％の濃度勾配を付けた。また、ポリアクリルアミドの濃度についても、５〜１０質量％の濃度勾配をつけた。電圧１３０Ｖを印加して７時間電気泳動した。泳動後のゲルはＳｙｂｅｒ　Ｇｒｅｅｎ（ＴＡＫＡＲＡ）で染色して、染色されたＤＮＡのバンドを紫外線（３１０ｎｍ）照射下で、ＣＣＤカメラで撮影した。
【００４６】
２系統の活性汚泥に対するＤＧＧＥによる微生物の検出結果を図１に示す。それぞれ高濃度の金属を含有するメッキ工場排水の処理に用いている活性汚泥に存在する微生物をＤＮＡバンドとして検出することができた。さらに、図１において活性汚泥に存在する各微生物に対応する各ＤＮＡのバンドを切り出して、そのＤＮＡ配列を読み取った。読み取ったＤＮＡ配列をデータベースでホモロジー検索することで、高濃度の金属を含有するメッキ工場排水の処理に用いている活性汚泥に存在する微生物を同定することができた。両系統の活性汚泥には鉄酸化細菌が存在しており、メッキ工場排水中の２価鉄を３価鉄に酸化する工程を活性汚泥で行っているが、図１に示すようにＤＮＡ配列から、両系統の活性汚泥からは鉄酸化細菌であるチオバシラス・フェロオキシダンス（Ｔｈｉｏｂａｃｉｌｌｕｓ　ｆｅｒｒｏｏｘｉｄａｎｓ）が共に検出された。従って、本検出方法により鉄酸化細菌チオバシラス・フェロオキシダンス（Ｔｈｉｏｂａｃｉｌｌｕｓ　ｆｅｒｒｏｏｘｉｄａｎｓ）をモニタリングすることが可能となった。
【００４７】
さらに、この細菌のＤＮＡバンドの経日的な変化の観察した結果、この細菌の存在が減ってきた場合に、排水の水質変動によりｐＨが４以上になっていることがわかった。そこで、この細菌の増殖に有利なｐＨ２．５に制御したところ、鉄酸化細菌チオバシラス・フェロオキシダンス（Ｔｈｉｏｂａｃｉｌｌｕｓ　ｆｅｒｒｏｏｘｉｄａｎｓ）の増殖が安定化し、安定な鉄酸化処理が達成できた。
【００４８】
【発明の効果】
本発明により、鉱山排水やメッキ工場排水等、あるいはこれらを浄化処理する活性汚泥に存在する微生物を金属と分離して回収して、微生物の検出、モニタリングすることが可能となる。従来、活性汚泥による処理の難しかった金属含有排水の処理に進展をもたらすものと期待される。
【００４９】
【配列表】
2004129510.tif 000004
2004129510.tif 000005
【図面の簡単な説明】
【図１】微生物の検出例。図面に代わる電気泳動写真。
【図１】
2004129510.tif 000006